(57)【要約】【課題】複数の物品を移動規制しながら並べて収容する作業を容易化する包装容器を提供する。【解決手段】  一部を重ねながら複数の物品Ｇ（Ｇ１，Ｇ２）を左右方向に並べて収容する包装容器１であって、背面壁１０と、正面壁と、一対の端壁１１Ｌ，１１Ｒと、一対の側壁と、を備え、正面壁の下正面壁１３Ｄは、物品Ｇの下部を保持する保持構造２０を有し、保持構造２０は、左右方向一方から他方に向かって延設され、且つ背面側に傾斜した第１保持片２１と、左右方向他方から一方に向かって延設され、且つ背面側に傾斜した第２保持片２２と、を含み、第１保持片２１、背面壁１０および左端壁１１Ｌに囲まれた領域には、物品Ｇ１を配置するための第１空間Ｓ１が形成され、第１保持片２１、第２保持片２２および下正面壁１３Ｄに囲まれた領域には、物品Ｇ２を配置するための第２空間Ｓ２が第１空間Ｓ１の一部と重なるように形成された。【選択図】図４
2020132206.tif 000002
【特許請求の範囲】
【請求項１】
隣接する物品（Ｇ）同士の一部を重ねながら複数の前記物品を第１方向に並べて収容する包装容器（１〜３）であって、
第１平面壁（１０）と、
前記第１平面壁に対向して設けられた第２平面壁（１３）と、
前記第１平面壁と前記第２平面壁との第１方向両端部の間に架け渡された一対の端壁（１１Ｌ，１１Ｒ）と、
前記第１平面壁と前記第２平面壁との第１方向に直交する第２方向両端部の少なくとも一方の間に架け渡された側壁（１４Ｕ，１４Ｄ）と、を備え、
前記第２平面壁は、前記物品の第２方向一方を保持する保持構造（２０，２５）を有し、
前記保持構造は、
第１方向一方から他方に向かって延設され、且つ前記第１平面壁の側に傾斜した第１保持片（２１）と、
前記第１保持片よりも第１方向他方に配置され、第１方向他方から一方に向かって延設され、且つ前記第１平面壁の側に傾斜した第２保持片（２２）と、を含み、
前記第１保持片、前記第１平面壁および第１方向一方の前記端壁に囲まれた領域には、前記物品の第２方向一方を移動規制した状態で配置するための第１空間（Ｓ１）が形成され、
前記第１保持片、前記第２保持片および前記第２平面壁に囲まれた領域には、前記物品の第２方向一方を移動規制した状態で配置するための第２空間（Ｓ２）が前記第１空間の一部と重なるように形成されたことを特徴とする包装容器。
【請求項２】
前記保持構造は、
前記第２保持片よりも第２方向一方にずれた位置にて第１方向一方から他方に向かって延設され、且つ前記前記第１平面壁の側に傾斜しながら先端部を第２方向他方に屈曲させて前記第２保持片に連設された第３保持片（２３）と、
前記第３保持片の基端部の近傍にて第１方向一方から他方に向かって延設され、前記第２平面壁と同一平面を成す第４保持片（２４）と、を更に含み、
前記第３保持片、前記第４保持片、前記第２平面壁および第１方向他方の前記端壁に囲まれた領域には、前記物品の第２方向一方を移動規制した状態で配置するための第３空間（Ｓ３）が前記第２空間の一部と重なるように形成されたことを特徴とする請求項１に記載の包装容器。
【請求項３】
前記保持構造は、
前記第２保持片よりも第２方向一方にずれた位置にて第１方向一方から他方に向かって延設され、且つ前記前記第１平面壁の側に傾斜しながら先端部を第２方向他方に屈曲させて前記第２保持片に連設された第３保持片（２３，２３Ｂ）と、
前記第３保持片の基端部の近傍にて第１方向一方から他方に向かって延設され、前記第２平面壁と同一平面を成す第４保持片（２４，２４Ｂ）と、を更に含み、
前記保持構造（２０Ａ，２０Ｂ）は、第１方向一方から他方に向かって第２方向一方に段階的にずれながら複数設けられ、
第２方向他方に位置する前記保持構造（２０Ａ）の前記第３保持片（２３）、第２方向他方に位置する前記保持構造の前記第４保持片（２４）および第２方向一方に位置する前記保持構造（２０Ｂ）の前記第１保持片（２１Ｂ）に囲まれた領域には、前記物品の第２方向一方を移動規制した状態で配置するための第３空間（Ｓ３）が前記第２空間の一部と重なるように形成され、
最も第２方向他方に位置する前記保持構造を除く他の前記保持構造は、前記第２空間（Ｓ２Ｂ）と前記第３空間（Ｓ３Ｂ）とを形成し、
第２方向一方に位置する前記保持構造による前記第２空間（Ｓ２Ｂ）は、第２方向他方に位置する前記保持構造による前記第３空間（Ｓ３）の一部と重なるように形成され、
最も第２方向一方に位置する前記保持構造による前記第３空間（Ｓ３Ｂ）は、前記第３保持片、前記第４保持片、前記第２平面壁および第１方向他方の前記端壁に囲まれた領域に形成されたことを特徴とする請求項１に記載の包装容器。
【請求項４】
前記第２保持片、前記第１平面壁および第１方向他方の前記端壁に囲まれた領域には、前記物品の第２方向一方を移動規制した状態で配置するための第３空間（Ｓ３）が形成され、
前記第２空間は、前記第１空間と前記第３空間との一部と重なるように形成されたことを特徴とする請求項１に記載の包装容器。
【請求項５】
前記保持構造（２５）は、前記第１保持片と前記第２保持片との位置を反転させながら第１方向に複数並設され、
隣接する２つの前記第２保持片および前記第１平面壁に囲まれた領域には、前記物品の第２方向一方を移動規制した状態で配置するための第３空間（Ｓ３）が形成され、
前記第２空間は、隣接する前記第１空間と前記第３空間との一部と重なるように形成されたことを特徴とする請求項１に記載の包装容器。
【発明の詳細な説明】
【技術分野】
【０００１】
本発明は、隣接する物品同士の一部を重ねながら複数の物品を一方向に並べて収容する包装容器に関する。
【背景技術】
【０００２】
例えば、特許文献１には、被包装品を所定の間隔で、且つその一部を重ねながら複数個横方向に並べて収容する包装用箱が開示されている。この包装用箱は、複数個の被包装品を並べて配置する底面と、底面の前後側に連設され、被包装品の前後側の側面および上面を覆う枠壁と、を備えている。底面には、被包装品の下側端を係止する複数の下側係止片が形成されている。枠壁には、被包装品の上側端を係止する複数の上側係止爪が形成されている。被包装品の上下両端が底面の下側係止片と枠壁の上側係止爪とに係止されるため、被包装品の横方向の移動が規制される。
【先行技術文献】
【特許文献】
【０００３】
【特許文献１】特開平０９−０４８４２２号公報
【発明の概要】
【発明が解決しようとする課題】
【０００４】
上記した包装用箱では、底面と枠壁とに、それぞれ異なる係止部（下側係止片、上側係止爪）を形成しなければならなかった。上記した包装用箱に被包装品を収容するには、被包装品の下側端を底面の下側係止片に係止させた後、その状態を維持しながら被包装品を枠壁で覆い、さらに枠壁の上側係止爪を指で押して被包装品の上側端に係止させなければならなかった。したがって、複数の被包装品の全てに対して上記のような作業を実施することになるため、複数の被包装品を包装用箱に収容する作業に多くの時間と手間がかかるという問題があった。
【０００５】
本発明は、上記課題を解決するために、複数の物品を移動規制しながら並べて収容する作業を容易化する包装容器を提供する。
【課題を解決するための手段】
【０００６】
上記した目的を達成するため、本発明は、隣接する物品同士の一部を重ねながら複数の前記物品を第１方向に並べて収容する包装容器であって、第１平面壁と、前記第１平面壁に対向して設けられた第２平面壁と、前記第１平面壁と前記第２平面壁との第１方向両端部の間に架け渡された一対の端壁と、前記第１平面壁と前記第２平面壁との第１方向に直交する第２方向両端部の少なくとも一方の間に架け渡された側壁と、を備え、前記第２平面壁は、前記物品の第２方向一方を保持する保持構造を有し、前記保持構造は、第１方向一方から他方に向かって延設され、且つ前記第１平面壁の側に傾斜した第１保持片と、前記第１保持片よりも第１方向他方に配置され、第１方向他方から一方に向かって延設され、且つ前記第１平面壁の側に傾斜した第２保持片と、を含み、前記第１保持片、前記第１平面壁および第１方向一方の前記端壁に囲まれた領域には、前記物品の第２方向一方を移動規制した状態で配置するための第１空間が形成され、前記第１保持片、前記第２保持片および前記第２平面壁に囲まれた領域には、前記物品の第２方向一方を移動規制した状態で配置するための第２空間が前記第１空間の一部と重なるように形成された。
【０００７】
この場合、前記保持構造は、前記第２保持片よりも第２方向一方にずれた位置にて第１方向一方から他方に向かって延設され、且つ前記前記第１平面壁の側に傾斜しながら先端部を第２方向他方に屈曲させて前記第２保持片に連設された第３保持片と、前記第３保持片の基端部の近傍にて第１方向一方から他方に向かって延設され、前記第２平面壁と同一平面を成す第４保持片と、を更に含み、前記第３保持片、前記第４保持片、前記第２平面壁および第１方向他方の前記端壁に囲まれた領域には、前記物品の第２方向一方を移動規制した状態で配置するための第３空間が前記第２空間の一部と重なるように形成されたことが好ましい。
【０００８】
他の場合、前記保持構造は、前記第２保持片よりも第２方向一方にずれた位置にて第１方向一方から他方に向かって延設され、且つ前記前記第１平面壁の側に傾斜しながら先端部を第２方向他方に屈曲させて前記第２保持片に連設された第３保持片と、前記第３保持片の基端部の近傍にて第１方向一方から他方に向かって延設され、前記第２平面壁と同一平面を成す第４保持片と、を更に含み、前記保持構造は、第１方向一方から他方に向かって第２方向一方に段階的にずれながら複数設けられ、第２方向他方に位置する前記保持構造の前記第３保持片、第２方向他方に位置する前記保持構造の前記第４保持片および第２方向一方に位置する前記保持構造の前記第１保持片に囲まれた領域には、前記物品の第２方向一方を移動規制した状態で配置するための第３空間が前記第２空間の一部と重なるように形成され、最も第２方向他方に位置する前記保持構造を除く他の前記保持構造は、前記第２空間と前記第３空間とを形成し、第２方向一方に位置する前記保持構造による前記第２空間は、第２方向他方に位置する前記保持構造による前記第３空間の一部と重なるように形成され、最も第２方向一方に位置する前記保持構造による前記第３空間は、前記第３保持片、前記第４保持片、前記第２平面壁および第１方向他方の前記端壁に囲まれた領域に形成されたことが好ましい。
【０００９】
また、他の場合、前記第２保持片、前記第１平面壁および第１方向他方の前記端壁に囲まれた領域には、前記物品の第２方向一方を移動規制した状態で配置するための第３空間が形成され、前記第２空間は、前記第１空間と前記第３空間との一部と重なるように形成されたことが好ましい。
【００１０】
また、他の場合、前記保持構造は、前記第１保持片と前記第２保持片との位置を反転させながら第１方向に複数並設され、隣接する２つの前記第２保持片および前記第１平面壁に囲まれた領域には、前記物品の第２方向一方を移動規制した状態で配置するための第３空間が形成され、前記第２空間は、隣接する前記第１空間と前記第３空間との一部と重なるように形成されたことが好ましい。
【発明の効果】
【００１１】
本発明によれば、複数の物品を移動規制しながら並べて包装容器に収容する作業を容易化することができる。
【図面の簡単な説明】
【００１２】
【図１】本発明の第１実施形態に係る包装容器を示す斜視図である。
【図２】本発明の第１実施形態に係る包装容器のブランクを示す平面図である。
【図３Ａ】本発明の第１実施形態に係る包装容器に第１物品を配置した状態を示す正面図である。
【図３Ｂ】本発明の第１実施形態に係る包装容器に第１〜第２物品を配置した状態を示す正面図である。
【図３Ｃ】本発明の第１実施形態に係る包装容器に第１〜第３物品を配置した状態を示す正面図である。
【図４】図３ＣのＩＶ−ＩＶ断面図である。
【図５】本発明の第２実施形態に係る包装容器を示す斜視図である。
【図６】本発明の第２実施形態に係る包装容器のブランクを示す平面図である。
【図７Ａ】本発明の第２実施形態に係る包装容器に第１〜第３物品を配置した状態を示す正面図である。
【図７Ｂ】本発明の第２実施形態に係る包装容器に第１〜第４物品を配置した状態を示す正面図である。
【図７Ｃ】本発明の第２実施形態に係る包装容器に第１〜第５物品を配置した状態を示す正面図である。
【図８】図７ＣのＶＩＩＩ−ＶＩＩＩ断面図である。
【図９】本発明の第３実施形態に係る包装容器を示す斜視図である。
【図１０】本発明の第３実施形態に係る包装容器のブランクを示す平面図である。
【図１１Ａ】本発明の第３実施形態に係る包装容器に第１および第３物品を配置した状態を示す正面図である。
【図１１Ｂ】本発明の第３実施形態に係る包装容器に第１〜第３物品を配置した状態を示す正面図である。
【図１２】図１１ＢのＸＩＩ−ＸＩＩ断面図である。
【図１３】本発明の第１または第３実施形態の変形例に係る包装容器を示す断面図である。
【図１４】本発明の第１または第３実施形態の他の変形例に係る包装容器を示す断面図である。
【発明を実施するための形態】
【００１３】
以下、添付の図面を参照しつつ、本発明の実施形態について説明する。なお、各図に示す「Ｆｒ」は「前」を示し、「Ｒｒ」は「後」を示し、「Ｌ」は「左」を示し、「Ｒ」は「右」を示し、「Ｕ」は「上」を示し、「Ｄ」は「下」を示している。また、左右方向（第１方向）は上下方向（第１方向に直交する第２方向）に直交し、前後方向は左右方向と上下方向とに直交している。本明細書では方向や位置を示す用語を用いるが、それらの用語は説明の便宜のために用いるものであって、本発明の技術的範囲を限定するものではない。
【００１４】
［第１実施形態：包装容器の概要］
図１および図２を参照して、包装容器１の構成について説明する。図１は包装容器１を示す斜視図である。図２は包装容器１のブランク５を示す平面図である。
【００１５】
図１に示すように、包装容器１は、隣接する物品Ｇ同士の一部を重ねながら３つの物品Ｇ（Ｇ１〜Ｇ３）を左右方向に並べて収容する箱である。包装容器１は、全体的に前後方向の厚みが薄い略直方体状に形成され、その正面には物品Ｇを露出させるための開口部１３Ａが開口している。各物品Ｇは、例えば、薄い板状に形成されている。なお、本明細書では、説明の便宜上、包装容器１に収容された３つの物品Ｇについて、左方から右方に向かって順に、第１物品Ｇ１、第２物品Ｇ２、第３物品Ｇ３と呼び、個別の符号を付す。また、第１〜第３物品Ｇ１〜Ｇ３に共通する説明では、単に「物品Ｇ」と呼び、符号にアルファベットのみを付す。
【００１６】
包装容器１は、図２に示すブランク５を組み立てることで形成される。ブランク５は、一枚の板紙（厚紙）を抜型等で打ち抜いて形成されている。なお、図２は、包装容器１の外面（表面）側を示している。また、図面に示す「Ｘ」は紙の繊維（紙目）が延びる「紙目方向」を示し、「Ｙ」は紙目方向に直交する「直交方向」を示している。また、上、下、左、右、前、後などの用語は、包装容器１を組み立てた状態における向きを指している。
【００１７】
［ブランク］
図２に示すように、ブランク５は、背面壁１０と、左端壁１１Ｌと、右端壁１１Ｒと、４つの内フラップ１２と、左正面壁１３Ｌと、右正面壁１３Ｒと、上側壁１４Ｕと、下側壁１４Ｄと、上正面壁１３Ｕと、下正面壁１３Ｄと、を備えている。
【００１８】
＜背面壁、左端壁、右端壁、内フラップ＞
背面壁１０（第１平面壁）は、紙目方向に長い略長方形状に形成されている。左端壁１１Ｌおよび右端壁１１Ｒ（一対の端壁）は、第１折曲線Ｌ１を介して背面壁１０の紙目方向両端部に連設されている。左端壁１１Ｌおよび右端壁１１Ｒは、それぞれ、直交方向に長い略長方形状に形成されている。４つの内フラップ１２は、第２折曲線Ｌ２を介して左端壁１１Ｌと右端壁１１Ｒとの直交方向両端部に連設されている。各内フラップ１２は、略正方形状に形成されている。
【００１９】
＜左正面壁、右正面壁＞
左正面壁１３Ｌは、第３折曲線Ｌ３を介して左端壁１１Ｌの紙目方向外端部に連設されている。右正面壁１３Ｒは、第３折曲線Ｌ３を介して右端壁１１Ｒの紙目方向外端部に連設されている。なお、左正面壁１３Ｌと右正面壁１３Ｒとは、背面壁１０を中心に対称となる形状であるため、以下、左正面壁１３Ｌに着目して説明する。
【００２０】
左正面壁１３Ｌは、長方形の直交方向中間部に台形状の凹みを有しており略Ｕ字状に形成されている。換言すれば、左正面壁１３Ｌの直交方向両側には、一対の凸部１５Ｌが紙目方向外側に向かって突設されている。左正面壁１３Ｌと左端壁１１Ｌとの境界部には、板紙を厚み方向に貫通した一対の差込スリット１６Ｌが形成されている。一対の差込スリット１６Ｌは、直交方向に離間した位置で第３折曲線Ｌ３に沿って形成されている。詳細には、差込スリット１６Ｌは、第３折曲線Ｌ３から左正面壁１３Ｌの側に僅かに突き出した凸状に形成されている。なお、右正面壁１３Ｒにも、一対の凸部１５Ｒと一対の差込スリット１６Ｒとが形成されている。
【００２１】
＜上側壁、下側壁＞
上側壁１４Ｕおよび下側壁１４Ｄ（一対の側壁）は、第４折曲線Ｌ４を介して背面壁１０の直交方向両端部に連設されている。上側壁１４Ｕおよび下側壁１４Ｄは、それぞれ、紙目方向に長い略長方形状に形成されている。上側壁１４Ｕおよび下側壁１４Ｄは、それぞれ、切目を挟んで内フラップ１２に隣接している。
【００２２】
＜上正面壁＞
上正面壁１３Ｕは、第５折曲線Ｌ５を介して上側壁１４Ｕの直交方向外端部に連設されている。上正面壁１３Ｕは、左正面壁１３Ｌ等と略同様に、長方形の紙目方向中間部に台形状の凹みを有しており略Ｕ字状に形成されている。上正面壁１３Ｕの紙目方向両側には、一対の上側アーム部１７Ｕが直交方向外側に向かって突設されている。一対の上側アーム部１７Ｕの先端側、且つ紙目方向両端部には、一対の上側差込片１８Ｕが第６折曲線Ｌ６を介して連設されている。各上側差込片１８Ｕは、第６折曲線Ｌ６から先端に向かって直交方向に広がった後に幅狭くなる略六角形状に形成されている。
【００２３】
＜下正面壁＞
下正面壁１３Ｄは、第５折曲線Ｌ５を介して下側壁１４Ｄの直交方向外端部に連設されている。下正面壁１３Ｄは概ね長方形状に形成されているが、下正面壁１３Ｄの紙目方向一方（左方）には、略扇状の装飾部１９が直交方向外側に向かって突設されている。なお、装飾部１９は省略されてもよい。
【００２４】
下正面壁１３Ｄの紙目方向他方（右方）には、角部付近から第５折曲線Ｌ５まで斜めに傾斜切込線３４が入れられ、略三角形状の下側アーム部１７Ｄが形成されている。下正面壁１３Ｄの装飾部１９付近の紙目方向端部と、下側アーム部１７Ｄの先端側の紙目方向端部とには、一対の下側差込片１８Ｄが第６折曲線Ｌ６を介して連設されている。各下側差込片１８Ｄは、上側差込片１８Ｕと略同一形状を成している。
【００２５】
詳細は後述するが、包装容器１を組み立てた状態において、左正面壁１３Ｌ、右正面壁１３Ｒ、上正面壁１３Ｕおよび下正面壁１３Ｄは、背面壁１０に対向して設けられる正面壁１３を構成する（図１参照）。そして、正面壁１３を構成する下正面壁１３Ｄは、物品Ｇの下部（第２方向一方）を保持する保持構造２０を有している。
【００２６】
＜保持構造＞
保持構造２０は、第１保持片２１と、第２保持片２２と、第３保持片２３と、第４保持片２４と、を含んでいる。
【００２７】
（第１保持片）
第１保持片２１は、下正面壁１３Ｄの先端側にて装飾部１９よりも紙目方向他方（右方）配置されている。第１保持片２１は、下正面壁１３Ｄの直交方向略中央にて下正面壁１３Ｄの先端辺と略平行に第１切込線３１を入れることで短冊状（略長方形状）に形成されている。第１保持片２１の根本部（左端部）は、第１片折線４１を介して下正面壁１３Ｄに連設されている。第１保持片２１は、第１片折線４１から紙目方向他方（左方から右方（第１方向一方から他方））に向かって延設されている。なお、第１保持片２１（第１切込線３１）の延出寸法は、下側壁１４Ｄ等の直交方向の寸法よりも長く設定されている。このため、包装容器１を組み立てて第１保持片２１を第１片折線４１で折り曲げると、第１保持片２１の先端部は背面壁１０に接触する。
【００２８】
（第２保持片）
第２保持片２２は、下正面壁１３Ｄの先端側にて第１保持片２１よりも紙目方向他方（右方）に配置されている。第２保持片２２は、第１切込線３１から紙目方向他方に延長された第２切込線３２を入れることで短冊状（略長方形状）に形成されている。第２保持片２２の根本部（右端部）は、第２片折線４２を介して後述する第３保持片２３に連設されている。第２保持片２２は、第２片折線４２から紙目方向一方（右方から左方（第１方向他方から一方））に向かって延設されている。つまり、第２保持片２２は、第１保持片２１に対向するように、第１保持片２１とは逆向きに延びている。また、第２保持片２２の先端は第１保持片２１の先端に突き合わされており、これらの先端同士の間には分離線３０が形成されている。なお、第２保持片２２（第２切込線３２）の延出寸法は、第１保持片２１の延出寸法よりも短く、且つ下側壁１４Ｄ等の直交方向の寸法よりも長く設定されている。第１切込線３１と第２切込線３２と合わせた長さは、物品Ｇの左右幅と同一または物品Ｇの左右幅よりも僅かに長く設定されている。
【００２９】
（第３保持片）
第３保持片２３は、第２保持片２２よりも下側壁１４Ｄの側（下方（第２方向一方））にずれた位置に配置されている。第３保持片２３は、第３切込線３３を入れることで略Ｌ字状に形成されている。第３切込線３３は、上記した下側アーム部１７Ｄを区画する傾斜切込線３４と、第１切込線３１との間に第３保持片２３の根本部分を挟んで切り込まれた湾曲切込線３５と、傾斜切込線３４と湾曲切込線３５とを結ぶように下側壁１４Ｄとの境界の第５折曲線Ｌ５上に形成された直線切込線３６と、を含んでいる。湾曲切込線３５は、第１切込線３１と略平行を成す直線部分から湾曲しながら直線切込線３６まで延びている。また、湾曲切込線３５の反対側の端部は、下側壁１４Ｄの側に折り返されるように湾曲している。第３保持片２３の根本部分は、湾曲切込線３５によって括れており、２本の第３片折線４３を介して下正面壁１３Ｄに連設されている。紙目方向他方（右方）の第３片折線４３は、分離線３０の延長線上に形成されている。第３保持片２３は、第３片折線４３から紙目方向他方（左方から右方（第１方向一方から他方））に向かって延設されている。また、第３保持片２３は、その先端部を直交方向外側（上方（第２方向他方））に屈曲させ、第２片折線４２を介して第２保持片２２に連設されている。なお、第３保持片２３の延出寸法は、第１保持片２１の延出寸法と略同一に設定されている。
【００３０】
（第４保持片）
第４保持片２４は、下正面壁１３Ｄに湾曲切込線３５を入れることによって鰭状に形成されている。すなわち、第４保持片２４は、第３保持片２３の基端部（根本部分）の近傍にて紙目方向一方から他方（左方から右方（第１方向一方から他方））に向かって延設されている。
【００３１】
なお、第１〜第４折曲線Ｌ１〜Ｌ４、第６折曲線Ｌ６、上側壁１４Ｕと上正面壁１３Ｕとの境界の第５折曲線Ｌ５、および第１〜第３片折線４１〜４３は、それぞれ、板紙の表面から直線状に凹ませた汎用罫線である。また、下側壁１４Ｄと下正面壁１３Ｄとの境界の第５折曲線Ｌ５は、第３保持片２３を挟んで異なっており、第３保持片２３の紙目方向一方（左方）は汎用罫線上に複数の切目を所定間隔に並べたリード罫線であり、第３保持片２３の紙目方向他方（右方）は汎用罫線である。なお、上記した第１折曲線Ｌ１等は、汎用罫線やリード罫線に限らず、板紙を折り曲げるための線であれば如何なるものでもよい。なお、第３保持片２３の根本部分は括れており折れやすいため、２本の第３片折線４３の少なくとも何れか一方を省略してもよい。
【００３２】
［包装容器の組立手順および物品の収容手順］
次に、図１、図３Ａ〜Ｃおよび図４を参照して、包装容器１の組立手順および物品Ｇの収容手順の一例について説明する。図３Ａは包装容器１に第１物品Ｇ１を配置した状態を示す正面図である。図３Ｂは包装容器１に第１〜第２物品Ｇ１，Ｇ２を配置した状態を示す正面図である。図３Ｃは包装容器１に第１〜第３物品Ｇ１〜Ｇ３を配置した状態を示す正面図である。図４は、図３ＣのＩＶ−ＩＶ断面図である。ここでは、作業者が手作業で包装容器１を組み立てて物品Ｇを収容する場合について説明する。
【００３３】
＜包装容器の組立（前半）＞
作業者は、ブランク５の裏面を上方に向けた状態とし、左端壁１１Ｌと右端壁１１Ｒとを第１折曲線Ｌ１に沿って略直角に折り曲げる（立ち上げる）。続いて、作業者は、下方の２つの内フラップ１２を第２折曲線Ｌ２に沿って内側に折り曲げ、左正面壁１３Ｌと右正面壁１３Ｒとを第３折曲線Ｌ３に沿って内側に折り曲げる。
【００３４】
次に、作業者は、下側壁１４Ｄを第４折曲線Ｌ４に沿って略直角に折り曲げる（立ち上げる）。また、作業者は、下正面壁１３Ｄを第５折曲線Ｌ５に沿って内側に折り曲げ、一対の下側差込片１８Ｄを第６折曲線Ｌ６に沿って内側に折り曲げる。そして、作業者は、一対の下側差込片１８Ｄを左右一対の差込スリット１６Ｌ，１６Ｒに差し込みながら、下正面壁１３Ｄを左正面壁１３Ｌおよび右正面壁１３Ｒに折り重ねる（図１、図３Ａ等参照）。
【００３５】
下側差込片１８Ｄが差込スリット１６Ｌ，１６Ｒに差し込まれることで、左正面壁１３Ｌ、右正面壁１３Ｒおよび下正面壁１３Ｄが背面壁１０に対向した状態に保持される。この状態で、上面から前面にかけて開口した包装容器１が形成される（図３Ａ等参照）。
【００３６】
＜物品の収容＞
次に、作業者は、３つの物品Ｇを包装容器１に収容する。
【００３７】
図３Ａおよび図４に示すように、作業者は、第１保持片２１を第１片折線４１に沿って後方に折り曲げる。第１保持片２１は、左方から右方に向かって後方（背面壁１０の側）に傾斜した姿勢になる。第１保持片２１は下側壁１４Ｄ等の前後幅よりも長いため、この状態で、第１保持片２１の先端部は背面壁１０に接触している。下正面壁１３Ｄ（左正面壁１３Ｌ）、第１保持片２１、背面壁１０および左端壁１１Ｌに囲まれた領域には、第１空間Ｓ１が形成される。
【００３８】
作業者は、第１物品Ｇ１を包装容器１の上方から内部に差し込み、第１物品Ｇ１の下部を第１空間Ｓ１の内部に配置する。すると、図４に示すように、第１物品Ｇ１は、傾斜した第１保持片２１の裏面側に入り込むことによって前後方向への移動を規制される。また、第１物品Ｇ１は、第１保持片２１と左端壁１１Ｌとによって左右方向の移動を規制される。
【００３９】
次に、図３Ｂおよび図４に示すように、作業者は、第３保持片２３を２本の第３片折線４３に沿って後方に折り曲げ、第２保持片２２を第２片折線４２に沿って後方に折り曲げる。第３保持片２３は、左方から右方に向かって後方に傾斜した姿勢になる。また、第３保持片２３は傾斜しながら先端部を下方に屈曲させて第２保持片２２に連設されているため、第２保持片２２は、下正面壁１３Ｄよりも後方に位置している。また、第２保持片２２は、右方から左方に向かって後方に傾斜した姿勢になる。この状態で、第２および第３保持片２２，２３の先端部は、背面壁１０に接触している。また、第４保持片２４は、下正面壁１３Ｄと同一平面を成している。
【００４０】
図４に示すように、第１保持片２１、第２保持片２２、第３保持片２３および下正面壁１３Ｄに囲まれた領域には、第２空間Ｓ２が形成される。第２空間Ｓ２は、第１保持片２１を挟んで第１空間Ｓ１の一部の前側に重なるように形成される。なお、厳密には、第１および第２保持片２１，２２は、第３保持片２３や下正面壁１３Ｄに対向していないため、第２空間Ｓ２は、第１および第２保持片２１，２２の表面側（手前側）が開放された空間である（図３Ａ等も参照）。また、第３保持片２３、第４保持片２４、下正面壁１３Ｄ（下側アーム部１７Ｄ、右正面壁１３Ｒ）および右端壁１１Ｒに囲まれた領域には、第３空間Ｓ３が形成される。第３空間Ｓ３は、第３保持片２３を挟んで第２空間Ｓ２の一部の前側に重なるように形成される。
【００４１】
図３Ｂおよび図４に示すように、作業者は、第２物品Ｇ２を包装容器１の上方から内部に差し込み、第２物品Ｇ２の下部を第２空間Ｓ２の内部に配置する。すると、第２物品Ｇ２は、各々傾斜した第１および第２保持片２１，２２の表面と、傾斜した第３保持片２３および下正面壁１３Ｄの裏面との間に挟まれることによって前後方向・左右方向への移動を規制される。また、第１および第２空間Ｓ１，Ｓ２の一部が重なり合っているため、第１および第２空間Ｓ１，Ｓ２に配置された第１物品Ｇ１と第２物品Ｇ２とは、互いに一部を重ねた状態で左右方向に並んでいる。
【００４２】
次に、図３Ｃおよび図４に示すように、作業者は、第３物品Ｇ３を包装容器１の上方から内部に差し込み、第３物品Ｇ３の下部を第３空間Ｓ３の内部に配置する。すると、第３物品Ｇ３は、傾斜した第３保持片２３の表面と第４保持片２４の裏面との間に挟まれることによって前後方向への移動を規制される。また、第３物品Ｇ３は、第３および第４保持片２３，２４での挟持部分と右端壁１１Ｒとによって左右方向の移動を規制される。また、第２および第３空間Ｓ２，Ｓ３の一部が重なり合っているため、第２および第３空間Ｓ２，Ｓ３に配置された第２物品Ｇ２と第３物品Ｇ３とは、互いに一部を重ねた状態で左右方向に並んでいる。
【００４３】
以上によって、第１〜第３物品Ｇ１〜Ｇ３（の下部）が移動規制された状態で第１〜第３空間Ｓ１〜Ｓ３に配置される。つまり、３つの物品Ｇが包装容器１に収容された状態になる。なお、本明細書において第１〜第３空間Ｓ１〜Ｓ３に共通する説明では、単に「空間Ｓ」と呼び、符号にアルファベットのみを付す。
【００４４】
＜包装容器の組立（後半）＞
次に、作業者は、上方の２つの内フラップ１２を第２折曲線Ｌ２に沿って内側に折り曲げ、上側壁１４Ｕを第４折曲線Ｌ４に沿って略直角に折り曲げる（立ち上げる）。また、作業者は、上正面壁１３Ｕを第５折曲線Ｌ５に沿って内側に折り曲げ、一対の上側差込片１８Ｕを第６折曲線Ｌ６に沿って内側に折り曲げる。そして、作業者は、一対の上側差込片１８Ｕを左右一対の差込スリット１６Ｌ，１６Ｒに差し込みながら、上正面壁１３Ｕ（上側アーム部１７Ｕ）を左正面壁１３Ｌおよび右正面壁１３Ｒに折り重ねる（図１参照）。この状態で、第１〜第３物品Ｇ１〜Ｇ３は、上下一対の側壁１４Ｕ，１４Ｄによって上下方向の移動を規制され、上正面壁１３Ｕ等によって前後方向の移動を規制される。これにより、３つの物品Ｇは包装容器１の内部にて上下・左右・前後に移動規制され、輸送中等に包装容器１内で物品Ｇが乱れることを抑制することができる。
【００４５】
以上によって、包装容器１の組み立てが完了する。図１に示すように、左正面壁１３Ｌ、右正面壁１３Ｒ、上正面壁１３Ｕおよび下正面壁１３Ｄが、開口部１３Ａを囲む環状の正面壁１３を構成する。正面壁１３は、物品Ｇを挟んで背面壁１０に対向して設けられる。ユーザは、開口部１３Ａを介して包装容器１に収容した物品Ｇを目視することができる。また、左右一対の端壁１１Ｌ，１１Ｒは、背面壁１０と正面壁１３との左右両端部（第１方向両端部）の間に架け渡され、上下一対の側壁１４Ｕ，１４Ｄは、背面壁１０と正面壁１３との上下両端部（第２方向両端部）の間に架け渡される。
【００４６】
なお、上記した物品Ｇの収容手順では、第１〜第３保持片２１〜２３を折り曲げて空間Ｓを形成した後、空間Ｓに物品Ｇを配置していたが、これに限らず、物品Ｇを包装容器１の内部に入れた後に第１〜第３保持片２１〜２３を折り曲げてもよい。この場合でも、結果的に、３つの空間Ｓに３つの物品Ｇが配置されることになる。
【００４７】
以上説明した第１実施形態に係る包装容器１では、第１〜第３保持片２１〜２３が背面側に傾斜することで、第１〜第３空間Ｓ１〜Ｓ３が形成されていた。この構成によれば、物品Ｇは傾斜した第１〜第３保持片２１〜２３等によって空間Ｓ内において移動規制されるため、空間Ｓ内において物品Ｇを所定位置に保持することができる。また、傾斜した第１〜第３保持片２１〜２３の何れかを挟んで隣接する空間Ｓ同士は、その一部を重ねながら左右方向に並設されていた。この構成によれば、物品Ｇの下部を空間Ｓに差し込むだけで、隣接する物品Ｇ同士の一部を重ねながら３つの物品Ｇを一方向に並べることができる。以上のように、第１〜第３保持片２１〜２３を傾斜させることでできた空間Ｓに物品Ｇを差し込むだけで、３つの物品Ｇを移動規制しながら並べて包装容器１に収容することができるため、当該収容作業を容易化することができる。
【００４８】
［第２実施形態］
次に、図５および図６を参照して、第２実施形態に係る包装容器２の構成について説明する。図５は包装容器２を示す斜視図である。図６は包装容器２のブランク６を示す平面図である。なお、以下の説明では、第１実施形態に係る包装容器１と同様または対応する構成については同一の符号を付し、包装容器１と同様または対応する説明は省略する。
【００４９】
図５に示すように、第２実施形態に係る包装容器２は、５つの物品Ｇを収容可能に形成されている。なお、本明細書では、説明の便宜上、包装容器２に収容された５つの物品Ｇについて、左方から右方に向かって順に、第１物品Ｇ１、第２物品Ｇ２、第３物品Ｇ３、第４物品Ｇ４、第５物品Ｇ５と呼び、個別の符号を付す。また、第１〜第５物品Ｇ１〜Ｇ５に共通する説明では、単に「物品Ｇ」と呼び、符号にアルファベットのみを付す。
【００５０】
図６に示すように、５つの物品Ｇを収容するため、包装容器２（ブランク６）の背面壁１０、上側壁１４Ｕ、下側壁１４Ｄ、上正面壁１３Ｕおよび下正面壁１３Ｄは、包装容器１（ブランク５）の背面壁１０等よりも左右方向（紙目方向）に長く形成されている。また、包装容器２の下正面壁１３Ｄは、包装容器１の下正面壁１３Ｄよりも上下方向（直交方向）に長く形成されている。そして、包装容器２の下正面壁１３Ｄには、保持構造２０が、左方から右方に向かって下方に段階的にずれて２つ設けられている（図５も参照）。
【００５１】
なお、本明細書では、説明の便宜上、上方（第２方向他方）に位置する保持構造２０を「第１保持構造２０Ａ」と呼び、下方（第２方向一方）に位置する保持構造２０を「第２保持構造２０Ｂ」と呼ぶ。また、第２保持構造２０Ｂおよびこれに含まれる構成部並びに第２保持構造２０Ｂによって形成される空間Ｓには符号「Ｂ」を追加し、第１および第２保持構造２０Ａ，２０Ｂ等に共通する説明では、単に「保持構造２０」等と呼び、符号に算用数字のみを付す。
【００５２】
＜第１保持構造＞
図６に示すように、第１保持構造２０Ａは、第１実施形態に係る包装容器１の保持構造２０と略同一であって、第１保持片２１と、第２保持片２２と、第３保持片２３と、第４保持片２４と、を含んでいる。なお、第３保持片２３は下側アーム部１７Ｄ（傾斜切込線３４Ｂ）から離れているため、第３保持片２３を区画する第３切込線３３は、湾曲切込線３５と直線切込線３６とで構成されている。
【００５３】
＜第２保持構造＞
第２保持構造２０Ｂは、第１保持構造２０Ａと略同様の構造であって、第１保持片２１Ｂと、第２保持片２２Ｂと、第３保持片２３Ｂと、第４保持片２４Ｂと、を含んでいる。
【００５４】
（第１保持片）
第１保持片２１Ｂは、第１保持構造２０Ａの第３保持片２３よりも下側壁１４Ｄの側にて第４保持片２４よりも紙目方向他方（右方）配置されている。第１保持片２１Ｂは、直線切込線３６と略平行に第１切込線３１Ｂを入れることで短冊状（略長方形状）に形成されている。第１保持片２１Ｂは、第１片折線４１Ｂを介して下正面壁１３Ｄに連設され、第１片折線４１から紙目方向他方に向かって延設されている。
【００５５】
（第２保持片）
第２保持片２２Ｂは、第１保持片２１Ｂよりも紙目方向他方（右方）に配置されている。第２保持片２２Ｂは、第１切込線３１Ｂから紙目方向他方に延長された第２切込線３２Ｂを入れることで略長方形状に形成されている。第２保持片２２Ｂの直交方向外端は、第１保持構造２０Ａの第３保持片２３の直交方向外端と略一致している。すなわち、第２保持片２２Ｂの直交方向の幅（上下幅）は、第１保持片２１Ｂと第３保持片２３とを合わせた直交方向の幅と略同一となっている。第２保持片２２Ｂは、第２片折線４２Ｂを介して後述する第３保持片２３Ｂに連設されて、第２片折線４２Ｂから紙目方向一方（左方）に向かって延設されている。第２保持片２２Ｂの先端は第１保持片２１Ｂと第３保持片２３の先端に突き合わされており、これらの先端同士の間には分離線３０Ｂが形成されている。
【００５６】
（第３保持片）
第３保持片２３Ｂは、第２保持片２２Ｂよりも下側壁１４Ｄの側にずれた位置に配置されている。第３保持片２３Ｂは、第３切込線３３Ｂ（傾斜切込線３４Ｂ、湾曲切込線３５Ｂ、直線切込線３６Ｂ）を入れることで略Ｌ字状に形成されている。第３保持片２３Ｂは、湾曲切込線３５Ｂによって括れた部分で下正面壁１３Ｄに連設され、その括れ部分から紙目方向他方に向かって延設されている。また、第３保持片２３Ｂは、その先端部を直交方向外側に屈曲させ、第２片折線４２Ｂを介して第２保持片２２Ｂに連設されている。
【００５７】
（第４保持片）
第４保持片２４Ｂは、下正面壁１３Ｄに湾曲切込線３５Ｂを入れることによって鰭状に形成されている。すなわち、第４保持片２４Ｂは、第３保持片２３Ｂの基端部の近傍にて紙目方向一方から他方に向かって延設されている。
【００５８】
なお、第１実施形態に係る包装容器１では、下側壁１４Ｄと下正面壁１３Ｄとの境界の第５折曲線Ｌ５の一部がリード罫線であったが、第２実施形態に係る包装容器２では、その第５折曲線Ｌ５は汎用罫線で構成されている。また、第２実施形態に係る包装容器２では、第３保持片２３，２３Ｂの根本部分の２本の第３片折線４３は省略されていたが、少なくとも１本の第３片折線４３を形成してもよい（図示せず）。
【００５９】
［包装容器の組立手順および物品の収容手順］
次に、図５、図７Ａ〜Ｃおよび図８を参照して、包装容器２の組立手順および物品Ｇの収容手順の一例について説明する。図７Ａは包装容器２に第１〜第３物品Ｇ１〜Ｇ３を配置した状態を示す正面図である。図７Ｂは包装容器２に第１〜第４物品Ｇ１〜Ｇ４を配置した状態を示す正面図である。図７Ｃは包装容器２に第１〜第５物品Ｇ１〜Ｇ５を配置した状態を示す正面図である。図８は、図７ＣのＶＩＩＩ−ＶＩＩＩ断面図である。
【００６０】
＜包装容器の組立（前半）＞
作業者は、第１実施形態に係る包装容器１と同様の組立手順で、上面から前面にかけて開口した包装容器２を形成する（図７Ａ参照）。
【００６１】
＜物品の収容＞
次に、作業者は、第１実施形態に係る包装容器１と同様の収容手順で、５つの物品Ｇを包装容器１に収容する。
【００６２】
図７Ａおよび図８に示すように、作業者は、第１保持構造２０Ａの第１保持片２１を後方に折り曲げて第１空間Ｓ１を形成し、第１物品Ｇ１の下部を第１空間Ｓ１の内部に配置する。次に、作業者は、第１保持構造２０Ａの第２保持片２２および第３保持片２３を後方に折り曲げて第２空間Ｓ２および第３空間Ｓ３を形成する。この状態で、第４保持片２４は、下正面壁１３Ｄと同一平面を成している。ここで、第３空間Ｓ３は、第１保持構造２０Ａの第３保持片２３、第１保持構造２０Ａの第４保持片２４、下正面壁１３Ｄおよび第２保持構造２０Ｂの第１保持片２１Ｂに囲まれた領域に形成される。作業者は、第２〜第３物品Ｇ２，Ｇ３の下部を第２〜第３空間Ｓ２，Ｓ３の内部に配置する。
【００６３】
次に、作業者は、第２保持構造２０Ｂの第１保持片２１Ｂを第１片折線４１Ｂに沿って折り曲げる。第１保持片２１Ｂは、第３物品Ｇ３の表面に重なり、左方から右方に向かって後方に傾斜した姿勢になる。第３物品Ｇ３は、傾斜した第３保持片２３の表面と、第４保持片２４および傾斜した第１保持片２１Ｂの裏面との間に挟まれることによって前後方向・左右方向への移動を規制される。
【００６４】
次に、図７Ｂおよび図８に示すように、作業者は、第２保持構造２０Ｂの第３保持片２３Ｂを後方に折り曲げ、第２保持構造２０Ｂの第２保持片２２Ｂを第２片折線４２Ｂに沿って折り曲げる。第３保持片２３Ｂは、左方から右方に向かって後方に傾斜した姿勢になり、第２保持片２２Ｂは、右方から左方に向かって後方に傾斜した姿勢になる。この状態で、第２〜第３保持片２２Ｂ，２３Ｂの先端部は、背面壁１０に接触している。また、第４保持片２４Ｂは、下正面壁１３Ｄと同一平面を成している。
【００６５】
第１保持片２１Ｂ、第２保持片２２Ｂ、第３保持片２３Ｂおよび下正面壁１３Ｄに囲まれた領域には、第２空間Ｓ２Ｂが形成される。第２保持構造２０Ｂによる第２空間Ｓ２Ｂは、第１保持片２１Ｂを挟んで第１保持構造２０Ａによる第３空間Ｓ３の一部の前側に重なるように形成される。なお、第２保持構造２０Ｂによる第２空間Ｓ２Ｂは、第１保持構造２０Ａによる第２空間Ｓ２と同様に、第１および第２保持片２１Ｂ，２２Ｂの表面側（手前側）が開放された空間である（図７Ａ等も参照）。また、第３保持片２３Ｂ、第４保持片２４Ｂ、下正面壁１３Ｄ（下側アーム部１７Ｄ、右正面壁１３Ｒ）および右端壁１１Ｒに囲まれた領域には、第３空間Ｓ３Ｂが形成される。第２保持構造２０Ｂの第３空間Ｓ３Ｂは、第３保持片２３Ｂを挟んで第２空間Ｓ２Ｂの一部の前側に重なるように形成される。
【００６６】
作業者は、第４物品Ｇ４の下部を第２空間Ｓ２Ｂの内部に配置する。すると、第４物品Ｇ４は、各々傾斜した第１〜第２保持片２１Ｂ，２２Ｂの表面と、傾斜した第３保持片２３Ｂおよび下正面壁１３Ｄの裏面との間に挟まれることによって前後方向・左右方向への移動を規制される。また、第２空間Ｓ２Ｂと第３空間Ｓ３との一部が重なり合っているため、第３物品Ｇ３と第４物品Ｇ４とは、互いに一部を重ねた状態で左右方向に並んでいる。
【００６７】
次に、図７Ｃおよび図８に示すように、作業者は、第５物品Ｇ５の下部を第３空間Ｓ３Ｂの内部に配置する。すると、第５物品Ｇ５は、傾斜した第３保持片２３Ｂの表面と第４保持片２４Ｂの裏面との間に挟まれることによって前後方向への移動を規制される。また、第５物品Ｇ５は、第３および第４保持片２３Ｂ，２４Ｂでの挟持部分と右端壁１１Ｒとによって左右方向の移動を規制される。また、第２および第３空間Ｓ２Ｂ，Ｓ３Ｂの一部が重なり合っているため、第４物品Ｇ４と第５物品Ｇ５とは、互いに一部を重ねた状態で左右方向に並んでいる。
【００６８】
以上によって、第１〜第５物品Ｇ１〜Ｇ５（の下部）が移動規制された状態で第１〜第３空間Ｓ１〜Ｓ３および第２〜第３空間Ｓ２Ｂ，Ｓ３Ｂに配置される。つまり、５つの物品Ｇが包装容器２に収容された状態になる。なお、本明細書において第１〜第３空間Ｓ１〜Ｓ３，Ｓ２Ｂ，Ｓ３Ｂに共通する説明では、単に「空間Ｓ」と呼び、符号にアルファベットのみを付す。
【００６９】
＜包装容器の組立（後半）＞
次に、作業者は、第１実施形態に係る包装容器１と同様の組立手順で、上側壁１４Ｕで包装容器２の上面を閉じ、上正面壁１３Ｕを左正面壁１３Ｌおよび右正面壁１３Ｒに折り重ねる（図５参照）。この状態で、第１〜第５物品Ｇ１〜Ｇ５は、上下一対の側壁１４Ｕ，１４Ｄによって上下方向の移動を規制され、上正面壁１３Ｕ等によって前後方向の移動を規制される。
【００７０】
以上によって、包装容器２の組み立てが完了する（図５参照）。なお、上記した物品Ｇの収容手順では、第１〜第３保持片２１Ｂ〜２３Ｂを折り曲げて空間Ｓを形成した後、空間Ｓに物品Ｇを配置していたが、これに限らず、物品Ｇを包装容器２の内部に入れた後に第１〜第３保持片２１Ｂ〜２３Ｂを折り曲げてもよい。この場合でも、結果的に、５つの空間Ｓに５つの物品Ｇが配置されることになる。
【００７１】
以上説明した第２実施形態に係る包装容器２では、第１保持構造２０Ａが第１〜第３空間Ｓ１〜Ｓ３を形成し、第２保持構造２０Ｂが第２〜第３空間Ｓ２Ｂ，Ｓ３Ｂを形成していた。この構成によれば、５つの空間Ｓに５つの物品Ｇを差し込むだけで、５つの物品Ｇを移動規制しながら並べて包装容器２に収容することができるため、当該収容作業を容易化することができる。
【００７２】
なお、第２実施形態に係る包装容器２では、２つの保持構造２０が設けられていたが、本発明はこれに限定されない。例えば、保持構造２０は、左方から右方に向かって下方に段階的にずれながら３つ以上設けられてもよい（図示せず）。この場合、最も上方（第２方向他方）に位置する第１保持構造２０Ａを除く他の保持構造２０は、第２空間Ｓ２Ｂと第３空間Ｓ３Ｂとを形成する（第１空間Ｓ１を形成しない）。すなわち、第２〜第３空間Ｓ２Ｂ，Ｓ３Ｂが、右方向（第１方向他方）に向かって下方（第２方向一方）に段階的にずれながら繰り返すように形成される（図示せず）。
【００７３】
［第３実施形態］
次に、図９および図１０を参照して、第３実施形態に係る包装容器３の構成について説明する。図９は包装容器３を示す斜視図である。図１０は包装容器３のブランク７を示す平面図である。なお、以下の説明では、第１および第２実施形態に係る包装容器１，２と同様または対応する構成については同一の符号を付し、包装容器１，２と同様または対応する説明は省略する。
【００７４】
第１および第２実施形態に係る包装容器１，２では、複数の物品Ｇのうち左側に配置された物品Ｇが、常に表面側にくるように重ねられていた。これに対し、第３実施形態に係る包装容器３では、図９に示すように、複数の物品Ｇの重なる面が互い違いになるように配置される。つまり、複数の物品Ｇが平面（底面）から見て千鳥状に配置される。
【００７５】
図１０に示すように、第３実施形態に係る包装容器３（ブランク７）は、第２実施形態に係る包装容器２と同様に、５つの物品Ｇを収容可能に形成されている。包装容器３の上正面壁１３Ｕには、保持構造２５が、左右方向に２つ並設されている。なお、包装容器３の上正面壁１３Ｕでは、下側アーム部１７Ｄ（傾斜切込線３４）が省略されている。
【００７６】
＜保持構造＞
図１０に示すように、各々の保持構造２５は、第１保持片２１と、第２保持片２２と、を含んでいる。つまり、各々の保持構造２５は、第１実施形態に係る包装容器１の保持構造２０から第３〜第４保持片２３，２４を削除した構造である。また、２つの保持構造２０は、第１保持片２１と第２保持片２２との位置を反転させて間隔をあけて左右方向に並設されている。したがって、２つの第１保持片２１は、下正面壁１３Ｄの紙目方向両外側（左右両側）から互いに接近する方向に延設されている。また、２つの第２保持片２２は、下正面壁１３Ｄの紙目方向中央付近から互いに離間する方向に延設されている。
【００７７】
［包装容器の組立手順および物品の収容手順］
次に、図９、図１１Ａ〜Ｂおよび図１２を参照して、包装容器３の組立手順および物品Ｇの収容手順の一例について説明する。図１１Ａは包装容器３に第１および第３物品Ｇ１，Ｇ３を配置した状態を示す正面図である。図１１Ｂは包装容器３に第１〜第３物品Ｇ１〜Ｇ３を配置した状態を示す正面図である。図１２は、図１１ＢのＸＩＩ−ＸＩＩ断面図である。
【００７８】
＜包装容器の組立（前半）＞
作業者は、第１および第２実施形態に係る包装容器１，２と同様の組立手順で、上面から前面にかけて開口した包装容器３を形成する（図１１Ａ参照）。
【００７９】
＜物品の収容＞
次に、図１１Ａおよび図１２に示すように、作業者は、２つの第１保持片２１を第１片折線４１に沿って後方に折り曲げる。２つの第１保持片２１は左右方向外側から中央側に向かって傾斜し、その先端部は背面壁１０に接触する。左方の第１空間Ｓ１は、下正面壁１３Ｄ（左正面壁１３Ｌ）、左方の第１保持片２１、背面壁１０および左端壁１１Ｌに囲まれた領域に形成される。右方の第１空間Ｓ１は、下正面壁１３Ｄ（右正面壁１３Ｒ）、右方の第１保持片２１、背面壁１０および右端壁１１Ｒに囲まれた領域に形成される。そして、作業者は、２つの第１物品Ｇ１の下部を２つの第１空間Ｓ１の内部に配置する。２つの第１物品Ｇ１は、傾斜した２つの第１保持片２１によって前後方向への移動を規制され、２つの第１保持片２１と左右両側の端壁１１Ｌ，１１Ｒとによって左右方向の移動を規制される。
【００８０】
次に、作業者は、２つの第２保持片２２を第２片折線４２に沿って後方に折り曲げる。２つの第２保持片２２は左右方向中央側から外側に向かって傾斜し、その先端部は背面壁１０に接触する。左方の第２空間Ｓ２は、左方の第１および第２保持片２１，２２と下正面壁１３Ｄとに囲まれた領域に形成される。右方の第２空間Ｓ２は、右方の第１および第２保持片２１，２２と下正面壁１３Ｄとに囲まれた領域に形成される。また、隣接する２つの第２保持片２２、背面壁１０および下正面壁１３Ｄに囲まれた領域には、第３空間Ｓ３が形成される。左方の第２空間Ｓ２は、隣接する左方の第１空間Ｓ１と第３空間Ｓ３との一部の前側に重なるように形成される。右方の第２空間Ｓ２は、隣接する右方の第１空間Ｓ１と第３空間Ｓ３との一部の前側に重なるように形成される。
【００８１】
図１１Ａ、図１１Ｂおよび図１２に示すように、作業者は、第３物品Ｇ３の下部を第３空間Ｓ３の内部に配置し、２つの第２物品Ｇ２の下部を２つの第２空間Ｓ２の内部に配置する。各々の第２物品Ｇ２は、各々傾斜した第１および第２保持片２１，２２の表面と、下正面壁１３Ｄの裏面との間に挟まれることによって前後方向・左右方向への移動を規制される。第３物品Ｇ３は、傾斜した２つの第２保持片２２および背面壁１０（並びに下正面壁１３Ｄ）によって前後方向・左右方向への移動を規制される。
【００８２】
＜包装容器の組立（後半）＞
次に、作業者は、第１実施形態に係る包装容器１と同様の組立手順で、上側壁１４Ｕで包装容器３の上面を閉じ、上正面壁１３Ｕを左正面壁１３Ｌおよび右正面壁１３Ｒに折り重ねる（図９参照）。この状態で、第１〜第３物品Ｇ１〜Ｇ３は、上下一対の側壁１４Ｕ，１４Ｄによって上下方向の移動を規制され、上正面壁１３Ｕ等によって前後方向の移動を規制される。
【００８３】
以上によって、包装容器３の組み立てが完了する（図９参照）。
【００８４】
以上説明した第３実施形態に係る包装容器３では、第２空間Ｓ２が、第１空間Ｓ１および第３空間Ｓ３よりも正面側にて一部を重ねた状態で配置されていた。つまり、平面（底面）から見て、２つの第１空間Ｓ１、２つの第２空間Ｓ２および第３空間Ｓ３が千鳥状に配置されていた。この構成によれば、５つの空間Ｓに５つの物品Ｇを差し込むだけで、５つの物品Ｇを移動規制しながら並べて包装容器３に収容することができるため、当該収容作業を容易化することができる。また、左右方向中央の物品Ｇを目立つように正面側に配置することができる。
【００８５】
なお、第３実施形態に係る包装容器３では、２つの保持構造２５が設けられていたが、本発明はこれに限定されない。例えば、保持構造２５は、第１保持片２１と第２保持片２２との位置を反転させながら左右方向に３つ以上並設されてもよい（図示せず）。
【００８６】
また、図１３に示すように、第３実施形態に係る包装容器３の保持構造２５が１つだけ設けられていてもよい。換言すれば、第１実施形態に係る包装容器１の保持構造２０から第３〜第４保持片２３，２４が省略された構造であってもよい（第１または第３実施形態の変形例）。この場合、第２空間Ｓ２は、第１保持片２１、第２保持片２２および下正面壁１３Ｄに囲まれた領域に形成される。第３空間Ｓ３は、第２保持片２２、背面壁１０、下正面壁１３Ｄ（右正面壁１３Ｒ）および右端壁１１Ｒに囲まれた領域に形成される。第２空間Ｓ２は、第１空間Ｓ１と第３空間Ｓ３との一部の前側に重なるように形成される。
【００８７】
また、図１４に示すように、第１または第３実施形態の変形例に係る包装容器１，３の左右方向の寸法を調整し、第３空間Ｓ３を形成しない構成としてもよい（第１または第３実施形態の他の変形例）。この場合、第１〜第２空間Ｓ１，Ｓ２が形成され、２つの物品Ｇが収容されることになる。
【００８８】
また、第３実施形態に係る包装容器３では、２つの第２保持片２２（第２片折線４２）の間が離れていたが、これに限らず、２つの第２保持片２２を近接させてもよい（図示せず）。この場合、第３空間Ｓ３は、隣接する２つの第２保持片２２および背面壁１０に囲まれた領域に形成される。
【００８９】
なお、第１〜第３実施形態（各変形例を含む。以下同じ。）に係る包装容器１〜３では、第１保持片２１が、装飾部１９よりも左右方向中央側に配置されていたが、本発明はこれに限定されない。例えば、装飾部１９を省略し、第１保持片２１が左端壁１１Ｌの先端部（第３実施形態の場合は右端壁１１Ｒの先端部でもよい。）から左右方向中央側に延設されてもよい（図示せず）。この場合、第１空間Ｓ１は、第１保持片２１、背面壁１０および左端壁１１Ｌ（右端壁１１Ｒ）に囲まれた領域に形成される。また、第１または第３実施形態の変形例に係る包装容器１，３では、第２保持片２２が、下正面壁１３Ｄよりも左右方向中央側に配置されていたが、右端壁１１Ｒの先端部から左右方向中央側に延設されてもよい（図示せず）。この場合、第３空間Ｓ３は、第２保持片２２、背面壁１０および右端壁１１Ｒに囲まれた領域に形成される。
【００９０】
また、第１〜第３実施形態に係る包装容器１〜３では、第１〜第４保持片２１〜２４，２１Ｂ〜２４Ｂが、下正面壁１３Ｄに第１切込線３１等を入れることで形成されていたが、本発明はこれに限定されない。例えば、下正面壁１３Ｄに幅をもった溝を切ることで第１保持片２１等が形成されてもよい（図示せず）。また、第１保持片２１，２１Ｂと第２保持片２２，２２Ｂとは互いに対向していたが、これに限らず、第１保持片２１，２１Ｂと第２保持片２２，２２Ｂとが互いに上下方向にオフセットされていてもよい（図示せず）。
【００９１】
また、第１〜第３実施形態に係る包装容器１〜３では、保持構造２０が下正面壁１３Ｄに形成されていたが、これに限らず、例えば、上正面壁１３Ｕに形成されてもよい（図示せず）。また、第１〜第２実施形態に係る包装容器１，２では、複数の物品Ｇが左方から右方に向かって並べられていたが、これに限らず、例えば、右方から左方に向かって並べられてもよい（図示せず）。
【００９２】
また、第１〜第３実施形態に係る包装容器１〜３では、上下一対の側壁１４Ｕ，１４Ｄが、背面壁１０と正面壁１３との上下両端部の間に架け渡されていたが、本発明はこれに限定されない。例えば、上下一対の側壁１４Ｕ，１４Ｄの一方を省略してもよい（図示せず）。すなわち、側壁（１４Ｕ，１４Ｄ）は、背面壁１０と正面壁１３との上下両端部の少なくとも一方の間に架け渡されていればよい。この構成であっても、複数の物品Ｇを、少なくとも左右方向に移動規制しながら並べることができる。
【００９３】
また、第１〜第３実施形態に係る包装容器１〜３のブランク５〜７は、背面壁１０の四辺に左右の端壁１１Ｌ，１１Ｒや上下の側壁１４Ｕ，１４Ｄが連設された所謂ヤッコ型であったが、本発明はこれに限定されない。図示は省略するが、例えば、下正面壁１３Ｄ等と、左右の端壁１１Ｌ，１１Ｒ（または上下の側壁１４Ｕ，１４Ｄ）と、背面壁１０とが、一列に連設されていてもよい。具体的な一例としては、左正面壁１３Ｌ、右正面壁１３Ｒおよび下正面壁１３Ｄを一体に形成し、左正面壁１３Ｌに左端壁１１Ｌを介して背面壁１０を連設してもよい。この場合、上側壁１４Ｕは背面壁１０に連設され、上正面壁１３Ｕは上側壁１４Ｕに連設され、右端壁１１Ｒは右正面壁１３Ｒに連設されてもよい。他の具体的な一例としては、左正面壁１３Ｌ、右正面壁１３Ｒ、上正面壁１３Ｕおよび下正面壁１３Ｄを一体に形成し、上正面壁１３Ｕに上側壁１４Ｕを介して背面壁１０を連設してもよい。この場合、左右の端壁１１Ｌ，１１Ｒは左右の正面壁１３Ｌ，１３Ｒに連設され、下側壁１４Ｄは下正面壁１３Ｄに連設されてもよい。
【００９４】
また、第１〜第３実施形態に係る包装容器１〜３に収容される物品Ｇが薄い板状であったが、これに限らず、例えば、分厚い箱状の物品であってもよいし、上下方向に細長い棒状の物品であってもよい（図示せず）。また、１つの空間Ｓに１つの物品Ｇが配置されていたが、１つの空間Ｓに２つ以上の物品Ｇが配置されてもよい（図示せず）。
【００９５】
また、第１〜第３実施形態に係る包装容器１〜３は、板紙で形成されていたが、これに限らず、例えば、樹脂製の板、紙製または樹脂製の段ボールシート等で形成されていてもよい。
【００９６】
なお、上記実施形態の説明は、本発明に係る包装容器における一態様を示すものであって、本発明の技術範囲は、上記実施形態に限定されるものではない。
【符号の説明】
【００９７】
１〜３        包装容器
１０          背面壁（第１平面壁）
１１Ｌ        左端壁（端壁）
１１Ｒ        右端壁（端壁）
１３          正面壁
１３Ｄ        下正面壁（第２平面壁）
１３Ｌ        左正面壁（第２平面壁）
１３Ｒ        右正面壁（第２平面壁）
１３Ｕ        上正面壁（第２平面壁）
１４Ｄ        下側壁（側壁）
１４Ｕ        上側壁（側壁）
２０，２５    保持構造
２０Ａ        第１保持構造
２０Ｂ        第２保持構造
２１，２１Ｂ  第１保持片
２２，２２Ｂ  第２保持片
２３，２３Ｂ  第３保持片
２４，２４Ｂ  第４保持片
Ｇ１（Ｇ）    第１物品
Ｇ２（Ｇ）    第２物品
Ｇ３（Ｇ）    第３物品
Ｇ４（Ｇ）    第４物品
Ｇ５（Ｇ）    第５物品
Ｓ１（Ｓ）    第１空間
Ｓ２，Ｓ２Ｂ（Ｓ）  第２空間
Ｓ３，Ｓ３Ｂ（Ｓ）  第３空間
【図１】
2020132206.tif 000003
【図２】
2020132206.tif 000004
【図３Ａ】
2020132206.tif 000005
【図３Ｂ】
2020132206.tif 000006
【図３Ｃ】
2020132206.tif 000007
【図４】
2020132206.tif 000008
【図５】
2020132206.tif 000009
【図６】
2020132206.tif 000010
【図７Ａ】
2020132206.tif 000011
【図７Ｂ】
2020132206.tif 000012
【図７Ｃ】
2020132206.tif 000013
【図８】
2020132206.tif 000014
【図９】
2020132206.tif 000015
【図１０】
2020132206.tif 000016
【図１１Ａ】
2020132206.tif 000017
【図１１Ｂ】
2020132206.tif 000018
【図１２】
2020132206.tif 000019
【図１３】
2020132206.tif 000020
【図１４】
2020132206.tif 000021